【手続補正書】
【提出日】平成20年6月18日(2008.6.18)
【手続補正１】
【補正対象書類名】明細書
【補正対象項目名】特許請求の範囲
【補正方法】変更
【補正の内容】
【特許請求の範囲】
【請求項１】  ＬＥＤ、フランジ、および放物面反射器を含む照明器アセンブリと、
収束部、非収束部そしてレンズフランジを有し、前記収束部が焦点を特徴とするレンズと、
ハウジング内に照明器アセンブリを含むために照明器アセンブリを受けるハウジングと備え、
前記ＬＥＤが発光要素、放物面ミクロ反射器および透明チップを有し、前記ＬＥＤが前記発光要素から光を発するように構成され、前記放物面ミクロ反射器からの反射によって生じ、光の発散ビームが頂点から延びている光指向角度を特徴としてまた光の発散ビームの外側の方向に延びる追加の光を生じ、前記ＬＥＤのチップから放射し、
前記放物面反射器は前記放物面反射器の焦点が前記ＬＥＤの前記透明チップと一致するように構成され、
前記フランジは前記発光要素が前記収束部の焦点にあり、前記発散ビームが前記収束部の焦点の中央点上に中心があり、
前記ＬＥＤからの光の発散ビームの実質的にすべてが収束レンズを通して平行光の第１ビームに現れ、そして
前記放物面反射器は、平行光の前記第１ビームに平行な平行光の第２ビームに前記追加光の少なくとも一部が反射され前記レンズの前記非収束部を通して延びる、フラッシュ・ライト。
【請求項２】  １またはそれ以上の電池を受けるように構成された１又はそれ以上の電池区画を形成する本体部を更に備え、前記照明器アセンブリが前記本体部によって合致するように受けられ、そして前記ハウジングが前記本体部を合致するように受けて前記ハウジング内に前記本体部を収納する、請求項１に記載のフラッシュ・ライト。
【請求項３】  収束するレンズの一部が焦点中心を有すると共に収束直径Ｄを特徴とし、
前記焦点と焦点中心との間の距離が焦点距離Ｌを形成し、
そして前記収束直径Ｄ、前記焦点距離Ｌそして前記指向角度Ａの関係が
Ｄ≧２Ｌ Tan（Ａ／２）である、請求項１に記載のフラッシュ・ライト。
【請求項４】  前記指向角度Ａが約２０°である、請求項１に記載のフラッシュ・ライト。
【請求項５】  前記レンズの前記非収束部分が前記レンズの前記収束部分を取り囲んでいる、請求項１に記載のフラッシュ・ライト。
【請求項６】  スイッチと、
少なくとも１つの電池を保持するように構成された少なくとも１つの電池区画とを備え、
前記バッテリ区画が、ＬＥＤおよびスイッチを備える回路内に接続された接点を有し、それによって、電池が電池区画に設置されたとき、スイッチが回路を開放および閉鎖して、ＬＥＤを励磁、非励磁化することができ、
さらにＬＥＤ、レンズ、スイッチおよび電池区画を収容するように構成されたハウジングを備える、請求項１に記載のフラッシュ・ライト。
【請求項７】  ＬＥＤおよび放物面反射器を含む照明器アセンブリと、
収束部および非収束部を有し、前記収束部が焦点を特徴とするレンズと、
ハウジング内に前記照明器アセンブリを含むために前記照明器アセンブリを合致するように受けるハウジングと備え、
前記ＬＥＤが発光要素、放物面ミクロ反射器および透明チップを有し、前記ＬＥＤが前記発光要素から光を発するように構成され、前記放物面ミクロ反射器からの反射によって生じ、光の発散ビームが頂点から延びている光指向角度を特徴としてまた光の発散ビームの外側の方向に延びる追加の光を生じ、前記ＬＥＤのチップから放射し、
前記放物面反射器は前記放物面反射器の焦点が前記ＬＥＤの前記透明チップと一致するように位置され、
前記ＬＥＤの発光要素が前記レンズの前記収束部の焦点に位置しそして光の前記発散ビームが前記レンズの前記収束部の焦点の中心に中心があり、
前記ＬＥＤからの光の発散ビームが前記収束レンズを通して平行光の第１ビームに現れ、そして
前記放物面反射器は、平行光の前記第１ビームに平行な平行光の第２ビームに前記追加光の少なくとも一部が反射され前記レンズの前記非収束部を通して延びる、フラッシュ・ライト。
【請求項８】  前記レンズの前記非収束部分が前記レンズの前記収束部分を囲む、請求項７に記載のフラッシュ・ライト。
【請求項９】  スイッチと、
少なくとも１つの電池を保持するように構成された少なくとも１つの電池区画とを備え、
前記バッテリ区画が、ＬＥＤおよびスイッチを備える回路内に接続された少なくとも１つの接点を有し、それによって、前記電池が前記電池区画に設置されたとき、スイッチが回路を開放および閉鎖して、前記ＬＥＤを励磁、非励磁化することができ、
さらに前記ＬＥＤ、前記レンズ、前記スイッチおよび前記電池区画を収容するように構成されたハウジングを備える、請求項７に記載のフラッシュ・ライト。
【請求項１０】  １つまたは複数の電池を受けるように構成された１つまたは複数の電池区画を定義する本体部分をさらに備え、
照射器アセンブリが前記本体部分によって受けられ、
前記ハウジングが、前記本体部分を受けて、それによって前記本体部分を前記ハウジング内に収容する、請求項７に記載のフラッシュ・ライト。
【請求項１１】  収束部および非収束部を有し、前記収束部が焦点を特徴とするレンズと、
ＬＥＤ、取付け構造および放物面反射器とを有し、前記ＬＥＤが光の発散ビームを発することを特徴とし、前記ＬＥＤおよび前記放物面反射器が前記取付け構造に接続されて前記ＬＥＤが前記レンズの収束部の焦点に位置され、前記放物面反射器の焦点が前記ＬＥＤの光照射域と一致する照射器アセンブリと、
ハウジング内に前記照射器アセンブリおよび前記レンズを収納するために前記照射器アセンブリを受けるハウジングとを備え、
前記ＬＥＤから光の前記発散ビームが前記レンズの収束部を通して平行光の第１ビームに現れ、そして
前記放物面反射器が前記ＬＥＤの発散光放射域から前記第１に平行である平行光の第２ビームに光が反射され、前記レンズの非収束部を通して排出する、フラッシュ・ライト。
【請求項１２】  前記ＬＥＤの前記非収束部が前記レンズの前記収束部を囲む請求項１１に記載のフラッシュ・ライト。
【請求項１３】  スイッチと、
少なくとも１つの電池を保持するように構成された少なくとも１つの電池区画と、前記バッテリ区画が、前記ＬＥＤおよび前記スイッチを備える回路内に接続された少なくとも１つの接点を有し、それによって、前記電池が前記電池区画に設置されたとき、スイッチが回路を開放および閉鎖して、前記ＬＥＤを励磁、非励磁化することができ、
前記ＬＥＤ、前記レンズ、前記スイッチおよび前記電池区画を収容するように構成されたハウジングとをさらに備える、請求項１１に記載のフラッシュ・ライト。
【請求項１４】  １つまたはそれ以上の電池を受けるように構成された１つまたはそれ以上の電池区画を形成する本体部分を更に有し、
前記照射器アセンブリが前記本体部分によって受け取られ、そして
前記ハウジングが、ハウジング内に前記本体部分を収納するために前記本体部分を受ける、請求項１１に記載のフラッシュ・ライト。
【請求項１５】  光の前記発散ビームが前記レンズの前記収束部を実質的に通過して光の第１平行ビームを形成する、請求項１１に記載のフラッシュ・ライト。
【手続補正２】
【補正対象書類名】明細書
【補正対象項目名】０００１
【補正方法】変更
【補正の内容】
【０００１】
（発明の背景）
本出願は、現在放棄されている、２０００年８月１１日に出願された米国特許出願第０９／６３７，３４４号の継続出願である、２００３年６月２５日に出願された米国特許第６，９３２，４９０号の継続である。
本発明は、持ち運び可能または電池動作式の照明製品の分野に属する。より詳細には、本発明は、ハンド・ヘルドの電池動作式フラッシュ・ライトに関する。
【手続補正３】
【補正対象書類名】明細書
【補正対象項目名】００１３
【補正方法】変更
【補正の内容】
【００１３】
フラッシュ・ライト１０は、レンズ１６と前部ハウジング部分１２の前端３２の間で共形的に受けられる第１のゴム製のＯリング５０を備えて構成され、前方を向いたオリフィス３０を覆う水密のシールを形成している。同様に、フラッシュ・ライト１０は、レンズ・スイッチ・アセンブリ２０と後部ハウジング部分２２の後端４６の間で一緒に受けられるゴム・キャップ５２を備えて構成され、後方を向いたオリフィス４４を覆う水密のシールを形成している。また、フラッシュ・ライト１０は、前部ハウジング部分の後端３６と後部ハウジング部分２２の前端４２の間で一緒に受けられている第２のゴム製のＯリング５４を備えて構成されており、前部および後部ハウジング部分の間の水密なシールを形成している。したがって、ハウジング（すなわち、結合された前部および後部ハウジング部分）は水密である。
【手続補正４】
【補正対象書類名】明細書
【補正対象項目名】００１６
【補正方法】変更
【補正の内容】
【００１６】
図６Ａおよび６Ｂを参照すると、レンズ１４は、同心の、円形の収束レンズ部分８２を取り囲む円形の平坦な部分８０を有する透明の本体である。収束レンズ部分は、収束レンズ部分の両側に、それぞれの焦点が収束レンズ部分の焦点中心８６から離れた焦点距離である、焦点８４を有する両凸レンズを形成している。フランジ８８は、平坦な部分８０を取り囲み、近傍のレンズに剛性を追加し、そこで第１のＯリング５０を、前部ハウジング部分１２の前端３２に圧縮する（図２）。好ましくはレンズは、射出成形によってアクリル・プラスチックで作製される。
【手続補正５】
【補正対象書類名】明細書
【補正対象項目名】００１７
【補正方法】変更
【補正の内容】
【００１７】
図２および７Ａに示すように、ＬＥＤ６０のほかに、照明器アセンブリ１６は、フランジ９０と、放射面部分９２と、支持脚９４と、フラッシュ・ライトで使用可能な電池の出力レベルに適合するＬＥＤを作製するように構成された回路９８に関連したプリント基板回路９６とを備える。放物面部分９２の放物面の内面１００は、焦点を有する反射性の、好ましくは鏡様の構造である。同様に、照明アセンブリ・フランジ９０の内部表面１０２は、反射性の、好ましくは鏡様の構造である。